(57)【特許請求の範囲】
【請求項１】
カセットプレーヤーのシャーシに設けられ、磁気テープが巻き付けられる１対のカセットハブを内部に有するテープカセットが装着される、カセットプレーヤーのリール台装置において、
前記シャーシに対して立設されるとともに、先端側が前記シャーシ側に比較してより細く形成され、軸方向中央部に肩部を有する段付き形状であるシャフトと、中央部に前記シャフトが配置される貫通孔を有するとともに外周部に前記カセットハブが係合可能であり、前記シャフトに回転自在に支持されるリール台とを備え、
前記リール台の貫通孔の軸方向中央部には、前記リール台を前記シャフトの肩部に傾動可能に支持するよう内周側に突出して形成された環状の突起である１個所の支持部が形成されるとともに、前記リール台の貫通孔の前記支持部以外では前記シャフトと前記貫通孔との間に姿勢矯正用の隙間が形成されており、前記リール台に前記テープカセットが装着された際に、前記シャフトの傾きに関わらずに前記リール台の姿勢が前記カセットハブに沿うよう矯正されることを特徴とする、カセットプレーヤーのリール台装置。
【請求項２】
カセットプレーヤーのシャーシに設けられ、磁気テープが巻き付けられる１対のカセットハブを内部に有するテープカセットが装着される、カセットプレーヤーのリール台装置において、
前記シャーシに対して立設されたシャフトと、中央部に前記シャフトが配置される貫通孔を有するとともに外周部に前記カセットハブが係合可能であり、前記シャフトに回転自在に支持されるリール台とを備え、
前記リール台の貫通孔の軸方向中央部には、前記リール台を前記シャフトに傾動可能に支持する１個所の支持部が形成されるとともに、前記リール台の貫通孔の前記支持部以外では前記シャフトと前記貫通孔との間に姿勢矯正用の隙間が形成されており、前記リール台に、前記テープカセットが装着された際に、前記シャフトの傾きに関わらずに前記リール台の姿勢が前記カセットハブに沿うよう矯正されることを特徴とする、カセットプレーヤーのリール台装置。
【請求項３】
前記シャフトは、先端側が前記シャーシ側に比較してより細く形成され、軸方向中央部に肩部を有する段付き形状であり、前記支持部は、前記リール台の貫通孔の軸方向中央部から内周側に突出して形成され、前記シャフトの肩部に支持される環状の突起である、請求項２に記載のカセットプレーヤーのリール台装置。
【請求項４】
前記シャフトは、前記リール台の貫通孔の軸方向中央部近傍にまで延びる長さに形成されており、前記環状の突起の下面が前記シャフトの上面に支持される、請求項２に記載のカセットプレーヤーのリール台装置。
【発明の詳細な説明】
【０００１】
【発明の属する技術分野】
本発明は、リール台装置、特に、カセットプレーヤーのシャーシに設けられ、磁気テープが巻き付けられる１対のカセットハブを内部に有するテープカセットが装着される、カセットプレーヤーのリール台装置に関する。
【０００２】
【従来の技術】
ビデオデッキ、カセットレコーダー等のカセットプレーヤーは、一般に、テープカセットの磁気テープをカセットハブに巻き取るためのリール台装置を有している。従来のリール台装置として、特開平８−４５１３６号公報、実開昭５９−７１４５１号公報、実開昭６０−１４０２４４号公報等に示される装置が既に提案されている。
【０００３】
また、他の従来のリール台装置として、図７に示されるようなリール台装置４１が既に提案されている。
このリール台装置４１は、シャフト４３と、リール台４５とを備えている。シャフト４３は、カセットプレーヤーのシャーシ４７に立設されている。リール台４５は、中央部に貫通孔４５ａを有しており、この貫通孔４５ａにシャフト４３が装着されて、回転自在に支持されている。また、リール台４５は、カセットハブ５５の内周部に係合可能な係合部４５ｂを外周部に有している。
【０００４】
このリール台装置４１では、テープカセット５１がカセットプレーヤー内に収納されると、カセットハブ５５の内周部がリール台４５の係合部４５ｂと係合する。そしてこの状態で、カセットプレーヤーに再生、早送り等が指示されると、リール台４５が回転することにより、カセットハブ５５はリール台４５と一体に回転し、テープがカセットハブ５５に巻き取られる。
【０００５】
ところで、この種のリール台装置４１は、通常、リール台４５の貫通孔４５ａの上端部及び下端部の２個所が、シャフト４３の先端部４３ａ及び基端部４３ｂに支持されている。
【０００６】
【発明が解決しようとする課題】
前記従来のリール台装置４１では、シャーシ４７の平面度が一定でない場合や、シャフト４３がシャーシ４７に対し垂直でない場合は、シャフト４３が正規の取付姿勢から傾いて取り付けられることになる。すると、このようなシャフト４３にリール台４５を取り付けた場合、図７に示すように、リール台４５もシャフト４３の傾きに沿って傾くこととなる。
【０００７】
一方、テープカセット５１において、カセットハブ５５はカセットパック５３内に僅かに傾動可能に配置されている。
したがって、このような状態でテープカセット５１をリール台４５に装着すると、カセットハブ５５は、傾いたリール台４５に沿って同様に傾いた姿勢で装着されることになる。このような状態では、カセットハブ５５が正常な姿勢で回転できないため、テープの走行が不安定になり異音が生じたり、再生画像に乱れが生じる等の不具合が生じる。
【０００８】
本発明の目的は、カセットプレーヤー内において、テープを安定して走行させることにある。
【０００９】
【課題を解決するための手段】
請求項１に係るリール台装置は、カセットプレーヤーのシャーシに設けられ、磁気テープが巻き付けられる１対のカセットハブを内部に有するテープカセットが装着される装置である。リール台装置は、シャフトと、リール台とを備えている。シャフトは、シャーシに対して立設されるとともに、先端側がシャーシ側に比較してより細く形成され、軸方向中央部に肩部を有する段付き形状である。リール台は、中央部にシャフトが配置される貫通孔を有するとともに外周部にカセットハブが係合可能であり、シャフトに回転自在に支持される。そして、リール台の貫通孔の軸方向中央部には、リール台をシャフトの肩部に傾動可能に支持するよう内周側に突出して形成された環状の突起である１個所の支持部が形成されるとともに、リール台の貫通孔の支持部以外ではシャフトと貫通孔との間に姿勢矯正用の隙間が形成されており、リール台にテープカセットが装着された際に、シャフトの傾きに関わらずにリール台の姿勢がカセットハブに沿うよう矯正されることを特徴とする。
【００１０】
このリール台装置では、テープカセットがカセットプレーヤー内に収納されると、カセットハブの内周部がリール台の外周部と係合する。この状態で、カセットプレーヤーに再生、早送り等が指示されると、リール台が回転することにより、カセットハブがリール台と一体に回転し、カセットハブにテープが巻き取られる。
【００１１】
そして、このリール台装置では、リール台は、シャフトに対しその軸方向中央部の１個所で傾動可能に支持されかつ支持された部分以外の上下部分には姿勢矯正用の隙間を有しているため、支持された部分を支点に隙間分だけ傾動可能となっている。このため、テープカセットがリール台に装着されると、仮にシャフトが傾いていても、リール台は、シャフトの傾きに関わらずカセットハブに沿うようにその姿勢が矯正され、正常な姿勢でカセットハブと係合する。したがって、カセットハブは、シャフトの傾きに左右されることなく正常な状態でセットされる。
【００１２】
この結果、カセットハブは、テープカセット内で正常な姿勢で回転することができ、これにより、テープの走行が安定し、異音の発生や画像の劣化を抑えることができる。
また、このリール台装置では、リール台は、支持部がシャフト先端側から肩部に当接することでシャフトに支持される。このため、支持部の構成が簡単になる。
【００１３】
請求項２に係るリール台装置は、カセットプレーヤーのシャーシに設けられ、磁気テープが巻き付けられる１対のカセットハブを内部に有するテープカセットが装着される装置である。リール台装置は、シャフトと、リール台とを備えている。シャフトはシャーシに対して立設されている。リール台は、中央部にシャフトが貫通する貫通孔を有するとともに外周部にカセットハブが係合可能であり、シャフトに回転自在に支持される。そして、リール台の貫通孔の軸方向中央部にはリール台をシャフトに傾動可能に支持する１個所の支持部が形成されるとともにリール台の貫通孔の支持部以外ではシャフトと貫通孔との間に姿勢矯正用の隙間が形成されており、リール台に、テープカセットが装着された際に、シャフトの傾きに関わらずにリール台の姿勢がカセットハブに沿うよう矯正されることを特徴とする。
【００１４】
このリール台装置では、リール台は、シャフトに対しその軸方向中央部の１個所で支持されかつ支持された部分以外の上下部分には姿勢矯正用の隙間を有しているため、支持された部分を支点に隙間分だけ傾動可能となっている。このため、テープカセットがリール台に装着されると、仮にシャフトが傾いていても、リール台は、シャフトの傾きに関わらずカセットハブに沿うようにその姿勢が矯正され、正常な姿勢でカセットハブと係合する。したがって、カセットハブは、シャフトの傾きに左右されることなく正常な状態でセットされる。
【００１５】
この結果、カセットハブは、テープカセット内で正常な姿勢で回転することができ、これにより、テープの走行が安定し、異音の発生や画像の劣化を抑えることができる。
請求項３に係るリール台装置は、請求項２のリール台装置において、シャフトは、先端側がシャーシ側に比較してより細く形成され、軸方向中央部に肩部を有する段付き形状である。また、支持部は、リール台の貫通孔の軸方向中央部から内周側に突出して形成され、シャフトの肩部に支持される環状の突起である。
【００１６】
このリール台装置では、リール台は、支持部がシャフト先端側から肩部に当接することでシャフトに支持される。ここでは、支持部の構成が簡単になる。
請求項４に係るリール台装置は、請求項２のリール台装置において、シャフトは、リール台の貫通孔の軸方向中央部近傍にまで延びる長さに形成されている。そして、環状の突起の下面がシャフトの上面に支持される。
【００１７】
このリール台装置では、従来のシャフトの先端側が省略されており、リール台のシャフトに対する傾動の幅を大きくとることができる。また、シャフトを段付き形状等に形成する必要がなく構成が簡単になる。
【００１８】
【発明の実施の形態】
図１及び図２に、本発明の一実施形態によるリール台装置１を示す。
リール台装置１は、テープカセット３１の２つのカセットハブ３５（一方のみ図示）を係合するよう、ビデオデッキ内のシャーシ２１の２個所に設けられている。これらのリール台装置１は、再生、早送り時（正転時）等には一方が作動し、巻き戻し、巻き戻し再生時（逆転時）等には他方が作動するよう構成されている。
【００１９】
各リール台装置１は、シャフト３と、リール台５とを備えている。
シャフト３は、カセットプレーヤーのシャーシ２１からほぼ鉛直方向に延びて設けられた金属製の棒状部材であり、先端部３ａと基端部３ｂとを有している。基端部３ｂは、シャーシ２１にカシメられている。また、シャフト３の軸方向中央部付近から基端部３ｂにかけては、先端部３ａ側の径に比べ径の大きい大径部３ｃが形成されている。大径部３ｃの先端部３ａ側には、リール台５の支持部６（後述）を軸方向から支持するための肩部３ｄが形成されている。
【００２０】
リール台５は、図示されるような断面形状の樹脂成型体であり、最外周部分に、駆動部側のギア（図示せず）に係合するための第１係合部５ａを有している。また、リール台５は、第１係合部５ａより内周側の部分で先端部３ａ側に、カセットハブ３５に係合可能な第２係合部５ｂを有している。リール台５の内周部には、シャフト３が挿入される貫通孔５ｃが形成されている。貫通孔５ｃの軸方向中央部分の１個所には、内周側に突出する環状突起である支持部６が形成されている。貫通孔５ｃは、図３に示すように、支持部６以外でシャフト３との間に隙間ｓが生じるよう形成されている。
【００２１】
支持部６は、シャフト３の外周面に当接可能なシャフト側端面６ａを有しており、このシャフト側端面６ａとシャフト３との間には潤滑剤が介在している。また、支持部６は、シャーシ２１側にシャーシ側端面６ｂを有しており、大径部３ｃの肩部３ｄにワッシャ９を介してシャフト３先端側から当接可能である。
また、本実施形態で用いられるテープカセット３１は、一般的なものであり、カセットパック３３と、カセットパック３３内に回転自在に配置された２つのカセットハブ３５と、カセットパック３３内で各カセットハブ３５を軸方向一側に押圧するための２つの板バネ３７（一方のみ図示）とを有している。
【００２２】
このように構成されたリール台装置１では、テープカセット３１がビデオデッキ内に収納されると、各カセットハブ３５の内周部がリール台５の第２係合部５ｂに係合する。この状態で、ビデオデッキに再生、早送り等が指示されると、一方のリール台装置１のリール台５が回転することにより、カセットハブ３５がリール台５と一体に回転し、カセットハブ３５にテープ（図示せず）が巻き取られる。
【００２３】
そして、リール台５は、シャフト３に対し、その軸方向１個所で支持されかつ支持された部分以外の上下部分には姿勢矯正用の隙間ｓを有しているため、支持された部分を支点に隙間ｓ分だけ傾動可能となっている。このため、テープカセット３１がリール台５に装着されると、図４に示すように仮にシャフト３及びこれに支持されるリール台５が傾いていても、リール台５は、図５に示すように、シャフト３の傾きに関わらずにカセットハブ３５に沿うようにその姿勢が矯正され、正常な姿勢でカセットハブ３５と係合する。したがって、カセットハブ３５は、シャフト３の傾きに左右されることなく正常な状態でセットされる。
【００２４】
この結果、カセットハブ３５は、テープカセット３１内で正常な姿勢で回転することができ、これにより、テープの走行が安定し、異音の発生や画像の劣化を抑えることができる。
［他の実施形態］
（ａ）本発明のリール台装置が適用されるカセットプレーヤーは、ビデオデッキに限定されず、オーディオ用デッキ等の他の種類のカセットプレーヤーであってもよい。
【００２５】
（ｂ）図６に示すように、シャフト３を、先端部側を省略して大径部３ｃのみで構成するとともに、リール台５の内周部に、大径部３ｃの先端部分が嵌合可能なストレート部分５ｄを形成してもよい。このようなストレート部分５ｄの軸方向長さは、４〜５ｍｍ程度であるのが好ましい。
このように構成した場合は、シャフトの先端部を省略できるため、シャフトの構成が簡単になるとともにシャフトの部品コストを低減することができる。なお、この場合は、リール台成型時の離型性を考慮して、シャーシ２１側にかけてテーパ形状にするのが好ましい。
【００２６】
【発明の効果】
本発明によれば、リール台は、１個所の支持部を支点に傾動可能となっているため、シャフトの傾きに関わらず、カセットハブに沿うようにその姿勢が矯正される。このため、リール台は、正常な姿勢でカセットハブと係合し、カセットハブは正常な状態でセットされる。
【００２７】
したがって、カセットハブは正常な姿勢で回転することができ、これにより、テープの走行が安定し、異音の発生や画像の劣化を抑えることができる。
【図面の簡単な説明】
【図１】本発明の一実施形態によるリール台装置を備えたカセットプレーヤー内にテープカセットが収納された状態を示す縦断面図。
【図２】前記リール台装置のリール台を示す縦断面図。
【図３】図２の要部縦断面図
【図４】シャフトが傾いたリール台装置を示す縦断面図。
【図５】図４のリール台装置を備えたカセットプレーヤー内にテープカセットが収納された状態を示す縦断面図。
【図６】本発明の他の実施形態によるリール台装置を示す縦断面図。
【図７】従来のリール台装置を示す縦断面図。
【符号の説明】
１  リール台装置
３  シャフト
３ｄ  肩部
５  リール台
５ｂ  第１係合部
６  支持部
６ｂ  シャーシ側端面
２１  シャーシ
３１  テープカセット
３５  カセットハブ
ｓ  隙間
【図１】
0003587383.tif 000002
【図２】
0003587383.tif 000003
【図３】
0003587383.tif 000004
【図４】
0003587383.tif 000005
【図５】
0003587383.tif 000006
【図６】
0003587383.tif 000007
【図７】
0003587383.tif 000008